(57)【要約】【課題】冷媒の急激な吸着発熱を抑制して回収容器の高温化を防止でき、作業者の安全性や作業性を向上できる冷媒回収装置および冷媒回収方法を提供する。【解決手段】被回収装置３とを接続する第１接続部１１と、吸着材２２が収納された回収容器２０と回収容器２０を保温容器２１が具備されている。回収容器２０と減圧部１とを接続する回収側接続部２３とを有する回収部１を備える。上記被回収装置３と回収部１の回収側接続部２３と回収容器２０とを接続する。そして、上記被回収装置３から送出される冷媒を回収容器２０内の吸着材２２に徐々に吸着する。【選択図】図１
2008151350.tif 000002
【特許請求の範囲】
【請求項１】
被回収装置に充填された冷媒を回収する冷媒回収装置であって、上記被回収装置から送出される冷媒を回収側に接続する第１接続口とを有する上記冷媒を吸着するための吸着材が収納された回収容器と、回収容器を保温容器が具備されているおり、前記回収容器と第１の接続口とを接続する回収側接続口とを有する回収部とを備えたことを特徴とする冷媒回収装置。
【発明の詳細な説明】
【技術分野】
【０００１】
本発明は、空気調和機等の冷媒の回収に使用される冷媒回収装置に関するものである。
【背景技術】
【０００２】
従来、故障により冷凍機を修理または破棄する場合、冷凍機内の冷媒を、圧縮機を備えた冷媒回収装置を用いて回収するのが一般的である。しかしながら、この冷媒回収装置は、電源を必要とすると共に、装置自体が大型であるために場所によっては使用が困難な場合がある。
【０００３】
そこで、電源を必要とせずに冷媒を回収できる冷媒回収装置として、図３に示すように、回収容器１１０内に吸着材１０９を入れて、この回収容器１１０内に冷媒を短時間で回収するものが考えられている（例えば、特許文献１参照）。
【０００４】
図３において、冷媒回収装置１０６Ａは、冷凍回路に接続するための管路１０７と、この管路１０７に設けた開閉弁１０８と、冷凍回路中の冷媒を選択的に吸着できる固体吸着剤１０９を収容した冷媒回収本体１１０とを備えている。
【０００５】
そして、圧縮機１０２，凝縮器１０３、キャピラリチューブ１０４及び蒸発器１０５が順次接続された冷凍回路を備えた冷蔵庫１０１の冷媒を回収するとき、冷媒回収装置１０６Ａの冷媒回収本体１１０を管路７を介して冷凍回路の圧縮機１０２に接続する。そうして、開閉弁１０８を開けることにより、冷凍回路中の冷媒を冷媒回収本体１１０内の固体吸着剤１０９に吸着させて、圧力計１１２の計測圧力に基づいて回収状態を判断する。
【特許文献１】特開２０００−６５４４７号公報
【発明の開示】
【発明が解決しようとする課題】
【０００６】
しかしながら、図３に示す冷媒回収装置では、冷媒を短時間に吸着するため、冷媒の急激な吸着発熱により容器自体が高温になり、作業の安全性が損なわれるという問題があると共に、空冷または水冷などの冷却手段を別に用意する場合は、冷却手段の設置や操作に手間がかかり、作業性が低下するという問題がある。
【０００７】
そこで、この発明の目的は、冷媒の急激な吸着発熱を抑制して回収容器の高温化を防止でき、作業者の安全性や作業性を向上できる冷媒回収装置および冷媒回収方法を提供することにある。
【課題を解決するための手段】
【０００８】
上記目的を達成するため、請求項１の冷媒回収装置は、被回収装置に充填された冷媒を回収する冷媒回収装置であって、上記被回収装置から送出される冷媒をを接続する第１の接続口と、上記冷媒を吸着するための吸着材が収納された回収容器と、回収容器を保温容器が具備されて、上記回収容器と上記減圧部の第２の接続口とを接続する回収側接続口とを有する回収部とを備えたことを特徴としている。
【０００９】
上記請求項１の冷媒回収装置によれば、上記被回収装置から送出された冷媒を回収容器内に収納された吸着材に徐々に吸着させるので、冷媒の急激な吸着発熱を抑制して回収容器の高温化を防止でき、また保温容器があるため作業者の安全性や作業性を向上できる。また、別に冷却手段を用意する必要がなくなるので、小型で低コストな冷媒回収装置を実現できる。また、１つの回収容器で全冷媒を回収できない場合は、複数の回収容器を用意
して、回収容器を交換することにより全冷媒を回収するようにしてもよい。
【発明の効果】
【００１０】
本発明は、冷媒の急激な吸着発熱を抑制して回収容器の高温化を防止でき、作業者の安全性や作業性を向上できる冷媒回収装置および冷媒回収方法を提供することができる。
【発明を実施するための最良の形態】
【００１１】
第１の発明の冷媒回収装置は、被回収装置に充填された冷媒を回収する冷媒回収装置であって、上記被回収装置から送出される冷媒をを接続する第１の接続口と、上記冷媒を吸着するための吸着材が収納された回収容器と、回収容器を保温容器が具備されて、上記回収容器と上記減圧部の第２の接続口とを接続する回収側接続口とを有する回収部とを備えたことを特徴としている。
【００１２】
第１の発明の冷媒回収装置によれば、上記被回収装置から送出された冷媒を回収容器内に収納された吸着材に徐々に吸着させるので、冷媒の急激な吸着発熱を抑制して回収容器の高温化を防止でき、また保温容器があるため作業者の安全性や作業性を向上できる。また、別に冷却手段を用意する必要がなくなるので、小型で低コストな冷媒回収装置を実現できる。また、１つの回収容器で全冷媒を回収できない場合は、複数の回収容器を用意して、回収容器を交換することにより全冷媒を回収するようにしてもよい。
【００１３】
以下、本発明の実施の形態について、図面を参照しながら説明する。なお、この実施の形態によって本発明が限定されるものではない。
【００１４】
（実施の形態１）
図１はこの発明の実施の一形態の冷媒回収装置の構成を示す図であり、１は冷媒を吸着する吸着材２２が収納された回収容器２０と保温容器２１有する回収部である。この実施の形態では吸着材の一例としてモレキュラーシーブを用いている。
上記減圧部１の、第１の接続口の一例としての第１接続部１１を有し、その第１接続部１１回収容器１０との間に開閉弁１２を設けている。
また、上記回収部２の回収容器２０は、第２接続部１３が接続される回収側接続口の一例としての回収側接続部２３を有している。上記回収側接続部２４は、第２接続部１３が接続された状態では開き、第２接続部１３が接続されていない状態では閉じる閉鎖弁（図示せず）が内蔵されている。
図２は上記構成の冷媒回収装置を用いて被回収装置の一例としての空気調和機の冷媒を回収する場合について説明するための模式図を示しており、図２に示すように、空気調和機３の冷媒回路に配設されている閉鎖弁４にホース５の一端を接続し、ホース５の他端を回収部２の回収側接続部２４に接続する。このとき、回収部２の回収側接続部２４に内蔵された閉鎖弁は開いた状態になる。
次に、上記開閉弁１２（図１に示す）を徐々に開いて、空気調和機３の冷媒回路から冷媒を第１接続部１３を介して回収容器２０内に送り込まれ、回収容器２０内の吸着材２２により徐々に吸着されて回収される。
そして、冷媒の回収が終了したものとして続部１２４との接続を外す。そうすることにより、回収部２の回収側接続部２４に内蔵された閉鎖弁は閉じた状態になって回収容器２０が密閉され、回収された冷媒が漏れることがなく、回収部２のみで運搬が可能になる。その後、空気調和機３の閉鎖弁４とホース５の一端との接続を外すと共に、ホース５の他端と減圧部１の第１接続部１１との接続を外す。
なお、１つの回収容器１０で空気調和機３の冷媒回路内の全冷媒を回収できない場合は、複数の回収容器１０を用意して、回収容器を交換することにより全冷媒を回収する。
このように、冷媒を回収容器２０内に送り込んでその回収容器２０内の吸着材に徐々に吸着させるので、冷媒の急激な吸着発熱を抑制して回収容器２０の高温化を防止でき、作業
者の安全性や作業性を向上することができる。また、別に回収容器を冷却する冷却手段を用意する必要がなくなるので、小型で低コストな冷媒回収装置を実現することができる。また、上記実施の形態では、吸着材としてモレキュラーシーブを用いた冷媒回収装置について説明したが、冷媒を吸着する吸着材はこれに限らず、活性炭やガス吸着樹脂などの様々な吸着材を用いた冷媒回収装置にこの発明を適用してもよい。また、この発明の冷媒回収装置により回収される冷媒は、空気調和機等の冷凍機に用いられるフロン系冷媒に限らず、炭化水素類（プロパン，ブタンおよびペンタン等）、ヘリウム、アンモニア等の各種冷媒の回収に適用してもよい。ここで、フロン系冷媒には，フッ素と塩素を置換基にもつクロロフルオロカーボン（ＣＦＣ）、フッ素，水素，塩素を含むヒドロクロロフルオロカーボン（ＨＣＦＣ）、フッ素，水素を含むヒドロフルオロカーボン（ＨＦＣ）、すべての水素をフッ素で置換したペルフルオロカーボン（ＰＦＣ）などがある。
また、減圧容器内の冷媒圧力を計測する圧力計を設けてもよい。この場合、圧力計により計測された減圧容器内の冷媒圧力に基づいて、冷媒が回収容器内に回収されたか否かすなわち冷媒回収の終了を判断することが可能となる。
【産業上の利用可能性】
【００１５】
本発明は、冷媒を有する装置から冷媒を回収する冷媒回収装置として有効である。
【図面の簡単な説明】
【００１６】
【図１】この発明の実施の一形態の冷媒回収装置の構成図
【図２】上記冷媒回収装置を用いて空気調和機の冷媒を回収する場合について説明するための模式図
【図３】従来の冷媒回収装置を冷蔵庫に接続した状態を示す図
【符号の説明】
【００１７】
１  減圧部
２  回収部
３  空気調和機
４  閉鎖弁
５  ホース
１１  第１接続部
１２  開閉弁
２０  回収容器
２１  保温容器
２２  吸着材
２４  回収側接続部
【図１】
2008151350.tif 000003
【図２】
2008151350.tif 000004
【図３】
2008151350.tif 000005